(57)【要約】      （修正有）【課題】看護師等においては患者を容易に特定できる一方において、見舞客などの第３者には患者名がみだりに露見することのないナースコールシステムを提供する。【解決手段】個別表示部を有するナースコール親機１と、個別表示部を有する個別廊下灯２とを有するナースコールシステムにおいて、ナースコール親機１の個別表示部およびまたは個別廊下灯２の個別表示部には、公称患者名表示領域を備えたことを特徴とするナースコールシステム。【選択図】図１
2007268019.tif 000002
【特許請求の範囲】
【請求項１】
個別表示部を有するナースコール親機と、個別表示部を有する個別廊下灯とを有するナースコールシステムにおいて、前記ナースコール親機の前記個別表示部およびまたは前記個別廊下灯の前記個別表示部に、公称患者名表示領域を備えたことを特徴とするナースコールシステム。
【請求項２】
前記公称患者名表示領域には、姓と名で構成される担当看護師名における姓と、姓と名で構成される患者名における名とを自動的に結合して表示することを特徴とする請求項１記載のナースコールシステム。
【請求項３】
前記公称患者名表示領域には、担当チーム名と患者名における名とを自動的に結合して表示することを特徴とする請求項１記載のナースコールシステム。
【発明の詳細な説明】
【技術分野】
【０００１】
本発明は、病院や福祉施設で使用されるナースコールシステムに係り、特に、看護師等の医療スタッフだけに患者名の別称として通じる公称患者名を表示することにより、見舞客など不特定客から患者のプライバシーを保護しながら、医療スタッフ自身は、必要な患者情報を容易に取得できるナースコールシステムに関する。
【背景技術】
【０００２】
従来のナースコール親機は、一覧式の選局表示部を有し、管理対象となる患者全員の名前をフルネームで表示するものが多い。また、病室の出入り口に設置される個別廊下灯にも、病室内の患者氏名をフルネームで表示するものが多い。
【０００３】
ところが、現今では、個人情報保護法の成立などもあり、ナースコールシステムにおいても、患者の個人情報、特に名前の表示を回避しようという動きがあり、この動きに呼応するナースコールシステムも提案されようになっている。
【０００４】
例えば、特許文献１には、画面タッチを条件として、呼出した患者に限定して患者情報を表示できるようにした、情報表示装置が記載されている。
【０００５】
また、特許文献２には、プライバシー保護カバーで患者情報を必要な時以外は隠すことのできるプライバシー保護機能付き個別廊下灯が記載されている。
【０００６】
特許文献３には、タッチパネル表示部の縦横に多数並んだ個別の患者表示領域に患者氏名だけでなく、多種類の患者情報を表示できるようにしたナースコールシステムが記載されている。
【０００７】
【特許文献１】特開２００６−２１０２９号公報
【特許文献２】特開２００４−９４７６４号公報
【特許文献３】特開２００４−３０４５５２号公報
【発明の開示】
【発明が解決しようとする課題】
【０００８】
特許文献１および特許文献２記載の発明によれば、待機状態では、患者情報を表示せず、プライバシー保護カバーを手で引き上げたり、画面にタッチしたりするという特定の操作を行なったときだけ、患者情報を表示できるようになっている。
【０００９】
すなわち、特許文献１および特許文献２記載の発明によれば、患者名などの患者情報を、病室廊下を往来する見舞客などにみられないようにする点で、一定の目隠し効果が認められる。
【００１０】
この目隠し効果は、看護師等の医療スタッフにとっては不便を強いられるものとなる。すなわち、常態では、個別廊下灯には患者情報は表示されない。確認したいときは、個別廊下灯の直前まで移動して、画面タッチなどの面倒な操作をすることが必要となる。
【００１１】
本発明は、このような患者情報の非表示に伴う医療スタッフの不便を解消し、かつ、患者情報保護の面でも優れたナースコールシステムを提供すること課題とする。
【課題を解決するための手段】
【００１２】
本発明は、ナースコール親機およびまたは個別廊下灯の各個別表示部に、公称患者名表示領域を備えたことを特徴とするものである。
【００１３】
また、本発明は、公称患者名表示領域には、姓と名で構成される担当看護師名における姓と、姓と名で構成される患者名における名とを自動的に結合して表示することを特徴とするものである。
【００１４】
さらに、本発明は、公称患者名表示領域には、担当チーム名と患者の名とを自動的に結合して表示することを特徴とするものである。
【発明の効果】
【００１５】
本発明は前記のように、公称患者名表示領域を備えており、この領域には、姓と名で構成される担当看護師名における姓と、姓と名で構成される患者名における名とを自動的に結合して表示するので、医療スタッフは、表示された公称患者名を見ればどの患者であるか氏名を含めて簡単に特定できる。
【００１６】
他方、見舞客等の第３者には患者の実名が露見することがない。
【００１７】
また、公称患者名表示領域には、担当看護師の姓と患者の名とを結合、または、担当チーム名と患者の名とを結合して表示できるので、患者を特定できるだけでなく担当看護師または担当チームを同時に把握可能であり、看護業務の効率化に顕著な効果を発揮する。
【発明を実施するための最良の形態】
【００１８】
以下、本発明の実施例について説明する。図１は、本発明の１実施例におけるナースコールシステムのシステム構成図である。
【００１９】
図において、１は、タッチパネルタイプの液晶画面１ａを有するナースコール親機であり、２は、液晶画面２ａを備え、病室の出入り口に設置される複数の個別廊下灯であり、３は、患者のベッドサイドに設置されるナースコール子機である。ナースコールコール親機１、個別廊下灯２、ナースコール子機３は、相互に有線線路で接続されている。
【００２０】
図２は、ナースコール親機１の表示画面例を示す図であり、待機画面上に呼出した患者の患者情報がポップアップ表示された状態を示している。待機画面は、操作ボタンエリア４と患者一覧表示エリア５とで構成されている。
【００２１】
操作ボタンエリア４には、ナースコール動作に必要な複数の操作ボタンアイコンが配置され、所要のボタンアイコンにタッチしたり、マウスカーソルを移動、選択することにより、ボタン操作ができるようになっている。
【００２２】
患者一覧表示エリア５には、病棟のレイアウトと、病室のベッド配置が示され、病室単位でグループ分けして表示されている。各病室ゾーンは、複数の個別表示部６で構成され、各個別表示部６には、公称患者名表示領域６ａが形成されている。
【００２３】
ここで言う公称患者名は、患者の実名とは異なり、看護業務上で便宜的に使用する患者の通称であり、２０１−１のベッドの例でいえば、公称患者名は「春山  一郎」となる。
【００２４】
この公称患者名に対応する患者の実名は、呼出時に表示されるポップアップウインドウ７に示される。図のポップアップウインドウ７について説明すると、８は患者実名で「山田  一郎」、９は担当看護師名で「春山」、１０は担当医師名で「佐藤」である。
【００２５】
ところで、公称患者名「春山  一郎」は、担当看護師の「姓」と、患者の実名である「山田  一郎」から名部分を抽出して得られる「一郎」とを連結したものである。
【００２６】
なお、このポップアップウインドウ７は、患者さんから呼出しがあったとき、呼出した患者さんに限って表示されるものであり、待機状態で、患者の実名が表示されることはない。
【００２７】
前記の内容を理解した上で、図をみると、２０１号室から２０３号室の患者さんの担当はすべて春山看護師で、２０４号室から２０５号室の担当は夏山看護師であることがわかる。
【００２８】
図３は個別廊下灯の画面例を示す外観図である。図の中央部にある液晶画面２ａは、病室内のベッド配置に従って４分割して表示される個別表示部１１を有し、各個別表示部１１には、公称患者名表示領域１２がそれぞれ設けられている。公称患者名表示領域１２には、前述した公称患者名が表示される。
【００２９】
なお、小さな角アイコンは、救護区分表示アイコン１３であり、救護区分が色別表示される。
【００３０】
また、１４は呼出時に代表して点灯する代表灯、１５は呼出状態を復旧させるための復旧ボタンである。
【００３１】
患者さんから呼出があると、呼出した患者さんに属する個別表示部１１の背景色あるいは仕切り枠が点滅するとともに、代表灯１４が点灯または点滅し、患者さんからの呼出を周囲に報知する。
【００３２】
呼出信号は、さらに、個別廊下灯２からナースコール親機１に送信される。ナースコール親機１では呼出音が鳴り、呼出した患者さんの情報を示すポップアップウインドウ７が表示される。
【００３３】
図４はナースコール親機１の内部メモリーに記憶される公称患者名テーブルの１例である。
【００３４】
図の公称患者名テーブルは、「ベッド番号」、「患者名」、「担当看護師名」、「公称患者名」から構成されている。
【００３５】
この場合、「公称患者名」の文字データは、「患者名」の文字データと、「担当看護師名」の文字データとを、予めプログラムされている文字列計算式に則って、自動的に連結生成されるものとする。
【００３６】
図２の待機画面に一覧表示される公称患者名は、図４の公称患者名テーブルにおいて、ベッド番号乃至患者名をキーにして検索し、一致した公称患者名が所定位置にそれぞれ表示される。
【００３７】
この公称患者名は、同時に個別廊下灯２に送信され、個別廊下灯２において記憶、表示される。
【００３８】
なお、個別廊下灯２において公称患者名を保存的に記憶するかどうかは設計上の問題であり、個別廊下灯２で公称患者名を表示するときだけ、ナースコール親機１から随時送信することも可能である。
【００３９】
公称患者名は、ナースコール親機１および個別廊下灯２の待機画面の表示に限定して表示されるものであり、その他の場合には、正規の患者氏名を、表示、あるいは、プリンタに出力できるものとする。
【００４０】
なお、以上では、担当看護師の姓と、患者氏名の中の名とを結合して公称患者名を作成する例を説明したが、担当看護師の姓に代わる担当チーム名と患者名の中の名とを結合して公称患者名とすることができる。
【００４１】
また、実施例では、ナースコール親機１および個別廊下灯２の双方に公称患者名を表示できるが、病院や福祉施設の実要望にあわせて、いずれか一方のみを公称患者名で表示し、他方は、患者の実名を表示できるようにしてもよい。
【図面の簡単な説明】
【００４２】
【図１】本発明の１実施例におけるナースコールシステムのシステム構成図。
【図２】ナースコール親機の表示画面例を示す図である。
【図３】個別廊下灯の画面例を示す外観図である。
【図４】公称患者名テーブル例を示す図である。
【符号の説明】
【００４３】
１    ナースコール親機
１ａ    液晶画面
２    個別廊下灯
２ａ    液晶画面
３    ナースコール子機
４    操作ボタンエリア
５    患者一覧エリア
６    個別表示部
６ａ    公称患者名表示エリア
７    ポップアップウインドウ
８    患者実名
９    担当看護師名
１０    担当医師名
１１    個別表示部
１２    公称患者名表示領域
１３    救護区分表示アイコン
１４    代表灯
１５    復旧ボタン
【図１】
2007268019.tif 000003
【図２】
2007268019.tif 000004
【図３】
2007268019.tif 000005
【図４】
2007268019.tif 000006